(57)【特許請求の範囲】
【請求項１】
電話回線からのデータをアナログの第２のモデムで受信した場合、受信データを第１のモデムに出力し、この第１のモデムによってテレビが未使用の周波数へ変調し前記データ以外の周波数成分を取り除いて家屋内に配線されたテレビのアンテナケーブルを通して他方の第１のモデムに入力し、この他方の第１のモデムによって受信したデータを復調し家屋内でアンテナ端子を有する任意の部屋に移動可能なデータ通信端末装置に出力し、反対に前記データ通信端末装置からのデータを前記他方の第１のモデムで受信した場合、この受信データをテレビが未使用の周波数へ変調し前記データ以外の周波数成分を取り除いて前記アンテナケーブルを通して前記第１のモデムに出力し、この第１のモデムによって受信したデータを復調し前記第２のモデムへ入力し、前記電話回線に出力することを特徴とする家庭内データ通信方法。
【請求項２】
ＩＳＤＮ回線からのデータを宅内データ回線終端装置とターミナルアダプタを通して受信した場合、受信データを第１のモデムに出力し、この第１のモデムによってテレビが未使用の周波数へ変調し前記データ以外の周波数成分を取り除いて家屋内に配線されたテレビのアンテナケーブルを通して他方の第１のモデムに入力し、この他方の第１のモデムによって受信したデータを復調し家屋内でアンテナ端子を有する任意の部屋に移動可能なデータ通信端末装置に出力し、反対に前記データ通信端末装置からのデータを前記他方の第１のモデムで受信した場合、この受信データをテレビが未使用の周波数へ変調し前記データ以外の周波数成分を取り除いて前記アンテナケーブルを通して前記第１のモデムに出力し、この第１のモデムによって受信したデータを復調しターミナルアダプタと前記宅内データ回線終端装置とを通して前記ＩＳＤＮ回線に出力することを特徴とする家庭内データ通信方法。
【発明の詳細な説明】
【０００１】
【発明の属する技術分野】
本発明はデータ通信システムおよび方法に関し、特に家庭内でパーソナルコンピュータ（以下、パソコンと略称）などを使用した家庭内データ通信システムおよび方法に関する。
【０００２】
【従来の技術】
従来、家庭内でデータ通信を行おうとする場合には、アナログ電話線やＬＡＮで用いるケーブルを家屋内の必要な場所に引き回し配線している。そして、パソコン通信やインターネットアクセスを行うためには、通常アナログモデムを用い、電話回線を通して通信するかあるいは、ＩＳＤＮ用のターミナルアダプタとデータ回線終端装置（ＤＳＵ）を使用してＩＳＤＮ回線を介して通信している。また、一方最近では、家庭内の電源線をネットワーク用に使用する例も見られる。
【０００３】
図８は従来の家庭内データ通信システムの一例を示す図である。この場合、一階左の部屋のパソコン１と二階右の部屋のデータ通信端末２との間でデータ通信を行うために、一階左の部屋から二階右の部屋まで配線工事を行っている。特に、この工事は追加工事となることが多いので、配線１３を露出した形で家屋の中を引き回すことになりやすい。
【０００４】
図９は従来の家庭内データ通信システムの他の例を示す図であり、パソコン通信やインターネットアクセスを行うためのシステムが示されている。電話のモジュラコネクタ８は多くの場合、家屋の中の一カ所に設置されている。電話回線を経由して入力されたデータは、アナログモデム（第２のモデム）９を通してパソコン１に入力される。この際、パソコン１および第２のモデム９が設置された部屋は通常、電話回線のモジュラコネクタ８が設けられる部屋とは別の部屋になっているので、その間は配線１３を引き回すことになる。
【０００５】
【発明が解決しようとする課題】
上述した従来の家庭内データ通信システムにおける第１の問題点は、家庭内でデータ通信を行うために、家の中に配線を引き回さなければならず、且つこの配線が露出する場合は景観が悪くなり、さらに一度この配線を敷設すると配線が這っている環境に居続けるという精神的不快感を継続しなくてはならないということである。その理由はデータの伝送路（ネットワーク）の媒体として電話線やＬＡＮケーブルを新たに敷設していたからである。
【０００６】
第２の問題点は、このネットワークを一度敷設してしまうと、データ通信端末機器の移動が行えないもしくは困難であるということである。その理由はネットワークを構成するために配線を引き回した場所でのみ機器が使用可能であるからである。
【０００７】
第３の問題点は、電源線を用いた場合にはデータ転送速度が上がらないということである。その理由は電源線ではデータ転送に用いることのできる帯域が少ないからであり、また１００Ｖの電線で電圧変動があることも悪影響となる。
【０００８】
第４の問題点は、家庭内でパソコン通信やインターネットアクセスなどを行う場合に、アナログモデムやＤＳＵもしくはターミナルアダプタからパソコンのある個人の部屋まで配線を引き回す必要があるということである。その理由は電話やＩＳＤＮのモジュラコネクタは家屋内の一カ所，それも玄関に近い場所にあることが多いからである。
【０００９】
本発明の目的は、家庭内でパソコン通信やインターネットアクセスなどを行う場合に、アナログモデムから個人の部屋までの配線の引き回しを無くすことであり、また配線後も従来と同じ環境のまま生活できることを実現でき、さらに家庭内ネットワークを実現したあともパソコンなどデータ通信端末の設置場所の移動を可能にする家庭内データ通信システムおよび方法を提供することにある。
【００１０】
【課題を解決するための手段】
本発明の家庭内データ通信システムは、テレビの未使用周波数領域をデータの変復調用に使用するモデムを備え、家屋内でアンテナ端子を有する任意の部屋に移動可能なデータ通信端末装置の相互間で前記モデムおよび前記家屋内に配線されたテレビのアンテナケーブルを通してデータ通信を行う。
【００１１】
また、本発明の家庭内データ通信システムは、家庭内各部屋のアンテナケーブル終端手段に配線されたテレビ用のアンテナケーブルと、前記アンテナケーブル終端手段を有する任意の部屋に移動可能でありデータを送受信するデータ通信端末装置と、前記アンテナケーブルを通して前記データ通信端末装置でデータを送受信するためテレビの未使用周波数へのデータの変復調を行う第１のモデムとを備える。
【００１２】
前記第１のモデムは、ＲＳ２３２Ｃ規格によりデータ通信端末装置とインタフェースするデータ端末インタフェース部と、前記データ端末インタフェース部で受信したデータをテレビが未使用の周波数に変調し出力する変調器と、前記変調器からの出力を受信し変調されたデータ以外の周波数成分を取り除くバンドエリミネータと、テレビのアンテナケーブルを通してデータ伝送するためのアンテナケーブルインタフェース部と、前記アンテナケーブルインタフェース部で受信したデータを復調し前記データ端末インタフェース部に出力する復調器とを備える。
【００１３】
また、本発明の家庭内データ通信システムは、アナログ電話回線を終端するためのモジュラコネクタと前記第１のモデムとの間に設けられ信号の変復調を行う第２のモデムを備える構成としても良いし、あるいは、ＩＳＤＮ回線を終端するためのモジュラコネクタに接続される宅内データ回線終端装置と、前記宅内データ回線終端装置と前記第１のモデムとの間に設けられるＩＳＤＮ用のターミナルアダプタとを備える構成としても良い。
【００１４】
本発明の第１の家庭内データ通信方法は、電話回線からのデータをアナログの第２のモデムで受信した場合、受信データを第１のモデムに出力し、この第１のモデムによってテレビが未使用の周波数へ変調し前記データ以外の周波数成分を取り除いて家屋内に配線されたテレビのアンテナケーブルを通して他方の第１のモデムに入力し、この他方の第１のモデムによって受信したデータを復調し家屋内でアンテナ端子を有する任意の部屋に移動可能なデータ通信端末装置に出力し、反対に前記データ通信端末装置からのデータを前記他方の第１のモデムで受信した場合、この受信データをテレビが未使用の周波数へ変調し前記データ以外の周波数成分を取り除いて前記アンテナケーブルを通して前記第１のモデムに出力し、この第１のモデムによって受信したデータを復調し前記第２のモデムへ入力し、前記電話回線に出力するようにしている。
【００１５】
本発明の第２の家庭内データ通信方法は、ＩＳＤＮ回線からのデータを宅内データ回線終端装置とターミナルアダプタを通して受信した場合、受信データを第１のモデムに出力し、この第１のモデムによってテレビが未使用の周波数へ変調し前記データ以外の周波数成分を取り除いて家屋内に配線されたテレビのアンテナケーブルを通して他方の第１のモデムに入力し、この他方の第１のモデムによって受信したデータを復調し家屋内でアンテナ端子を有する任意の部屋に移動可能なデータ通信端末装置に出力し、反対に前記データ通信端末装置からのデータを前記他方の第１のモデムで受信した場合、この受信データをテレビが未使用の周波数へ変調し前記データ以外の周波数成分を取り除いて前記アンテナケーブルを通して前記第１のモデムに出力し、この第１のモデムによって受信したデータを復調しターミナルアダプタと前記宅内データ回線終端装置とを通して前記ＩＳＤＮ回線に出力するようにしている。
【００１６】
本発明によれば、テレビの未使用周波数領域をデータの変復調用に使用するモデムを備え、家庭内に配線されたテレビのアンテナケーブルを通してデータ通信端末装置の間でデータ通信を行うことにより、パソコンインタフェースとその他のデータ通信端末インタフェースに共通なインタフェース，たとえばＲＳ−２３２Ｃを使用することで、一種類のモデムを用いた家庭内ネットワーク構成が可能になる。また、アンテナケーブルの取り出し口がデータの取り出し口となるため、アンテナケーブルの取り出し口がある場所ならどこでもデータ通信が可能となり、データ通信端末の機器の移動も可能となる。さらに、このアンテナケーブルをモデムを通して電話回線やＩＳＤＮ回線などの公衆回線と接続し、パソコン通信やインターネットアクセスを行うことも可能である。
【００１７】
【発明の実施の形態】
次に、本発明の実施の形態について図面を参照して説明する。図１は本発明の家庭内データ通信システムの第１の実施の形態を示す図である。家庭内データ通信システムは、データを送受信するパソコン１およびデータ通信端末２と、家庭内の各部屋のアンテナケーブルを終端するアンテナ端子３に配線されたテレビ用のアンテナケーブル（図示せず）と、アンテナケーブルを通してパソコン１およびデータ通信端末２相互間でデータを送受信するためテレビの未使用周波数へのデータの変復調を行う第１のモデム４とを備える。テレビ５はアンテナ端子３に接続される。
【００１８】
図１における第１のモデム４を示す図２を参照すると、データ変換のための第１のモデム４は、ＲＳ−２３２Ｃ規格によりデータ通信端末とインタフェースするＲＳ−２３２Ｃ  Ｉ／Ｆ部４１と、ＲＳ−２３２Ｃ  Ｉ／Ｆ部４１で受信したデータをテレビが未使用の周波数に変調し出力する変調器４２と、変調器４２からの出力を受信し変調されたデータ以外の周波数成分を取り除くバンドエリミネータ４３と、テレビのアンテナケーブルを通してデータ伝送するためのアンテナケーブルＩ／Ｆ部４４と、アンテナケーブルＩ／Ｆ部４４で受信したデータを復調しＲＳ−２３２Ｃ  Ｉ／Ｆ部４１部に出力する復調器４５とを備える。図３は図１における第１のモデムの接続形態を示す図であり、ＲＳ−２３２Ｃインタフェースコネクタ６と、アンテナケーブルコネクタ７とを備える。
【００１９】
次に、図１，図２，図４および図５を参照して動作を説明する。
【００２０】
一階左の部屋のパソコン１は第１のモデム４に接続されている。パソコン１はデータを第１のモデム４に出力し（ステップ１：Ｓ１）、このパソコン１から送信されたデータは第１のモデム４を通してアンテナケーブルの取り出し口（アンテナ端子）３からアンテナケーブルへ転送される。第１のモデム４内ではＲＳ−２３２Ｃ  Ｉ／Ｆ部４１から入力され、テレビの未使用周波数，たとえば９１５ＭＨｚ±１３ＭＨｚへ変調器４２で変調し、データ以外の周波数除去をバンドエリミネータ４３を通して行い、アンテナケーブルＩ／Ｆ部４４を通し出力される（Ｓ２）。
【００２１】
アンテナケーブル上を転送されたデータは、二階の右の部屋のアンテナ端子３から取り出され、他方の第１のモデム４へ入力される（Ｓ３）。この他方のモデム４内では、アンテナケーブルＩ／Ｆ部４４から入力され、データ通信端末用のデータへ復調器４５で復調し、ＲＳ−２３２Ｃ  Ｉ／Ｆ部４１を通しデータ通信端末２へ出力される（Ｓ４）。
【００２２】
一方、反対に二階の右のデータ通信端末２はデータを第１のモデム４に出力し（Ｓ１１）、この送信されたデータは第１のモデム４を通してアンテナ端子３からアンテナケーブルへ転送される。第１のモデム４内ではＲＳ−２３２Ｃ  Ｉ／Ｆ部４１から入力され、テレビの未使用周波数，たとえば９１５ＭＨｚ±１３ＭＨｚへ変調器４２で変調し、データ以外の周波数除去をバンドエリミネータ４３を通して行い、アンテナケーブルＩ／Ｆ部４４を通し出力される（Ｓ１２）。
【００２３】
アンテナケーブル上を転送されたデータは、一階の左の部屋のアンテナ端子３から取り出され、他方の第１のモデム４に入力される（Ｓ１３）。この他方のモデム４内では、アンテナケーブルＩ／Ｆ部４４から入力され、データ通信端末用のデータへ復調器４５で復調し、ＲＳ−２３２Ｃ  Ｉ／Ｆ部４１を通しパソコン１に出力される（Ｓ１４）。
【００２４】
以上説明したように、家庭内データ通信システムが実現し、すでに敷設されたアンテナ端子がある部屋ならどこでも、パソコン，データ通信端末などの機器の移動も自由に可能となる。
【００２５】
図６は本発明の家庭内データ通信システムの第２の実施の形態を示す図であり、第１のモデムを用いパソコンにより、図１におけるデータ通信端末の代りに電話回線を介しデータ通信を行う場合の構成が示されている。本例では、アナログ電話回線を終端するためのモジュラコネクタ８と第１のモデム４との間に信号の変復調を行う第２のモデム９を備える。
【００２６】
次に、図６および図２を参照して動作を説明する。電話のモジュラコネクタ８は多くの場合、家庭の中の一カ所に設置されている。電話回線を介して入力されたデータは、アナログモデム９を通して第１のモデム４に入力される。アナログモデム９には従来から家庭で使用されている電話機１０も接続されている。
【００２７】
第１のモデム４はアナログモデム９とのインタフェースをＲＳ−２３２Ｃによって行う。一方、第１のモデム４内部ではテレビの未使用周波数へデータを変調してテレビのアンテナケーブルとのインタフェースよりアンテナ端子３へデータを出力する。第１のモデム４から出力される信号は、転送されるデータの周波数以外は外部に出さないようにバンドエリミネータ４３を通している。
【００２８】
アンテナケーブルは家屋内にくまなく敷設されており、多くの部屋にはアンテナケーブルの取り出し口であるアンテナ端子３が設けられている。アンテナケーブルを通して転送されたデータは、パソコン１を使用している個人の部屋のケーブル端子３から出力され、他方の第１のモデム４へ入力される。データは他方の第１のモデム４内部で復調されＲＳ−２３２Ｃインタフェースを通してパソコン１に取り込まれる。このようにしてパソコン１による外部のネットワークからのデータ受信を可能にする。
【００２９】
一方、反対にパソコン１から出力されたデータは、前述した手順とは逆にＲＳ−２３２Ｃインタフェースを通して第１のモデム４に入力される。この第１のモデム４内で変調されたデータは、アンテナ端子３を通してアンテナケーブルに出力される。アンテナケーブルを通して転送されたデータはモジュラコネクタ８のある場所のアンテナ端子３から取り出され、他方の第１のモデム４へ入力される。この他方の第１のモデム４内で復調されたデータはＲＳ−２３２Ｃインタフェースを通してアナログモデム９へ入力され、モジュラコネクタ８を通して外部へ出力される。
【００３０】
図７は本発明の家庭内データ通信システムの第３の実施の形態を示す図であり、第１のモデムを用いパソコンにより、図１におけるデータ通信端末の代りにＩＳＤＮ回線を介しデータ通信を行う場合の構成が示されている。本例では、ＩＳＤＮ回線を終端するためのモジュラコネクタ８に接続される宅内データ回線終端装置（ＤＳＵ）１１と、ＤＳＵ１１と第１のモデム４との間に設けられるＩＳＤＮ用のターミナルアダプタ１２とを備える。
【００３１】
次に、図７および図２を参照して動作を説明する。ＩＳＤＮのモジュラコネクタ８は多くの場合、家屋の中の一カ所に設置されている。ＩＳＤＮ回線を介して入力されたデータは、ＤＳＵ１１とターミナルアダプタ１２を通して第１のモデム４に入力される。ターミナルアダプタ１２には従来から家庭で使用されている電話機１０も接続されている。
【００３２】
第１のモデム４はターミナルアダプタ１２とのインタフェースをＲＳ−２３２Ｃによって行う。一方、第１のモデム４内部ではテレビの未使用周波数へデータを変調してテレビのアンテナケーブルとのインタフェースよりアンテナ端子３へデータを出力する。第１のモデム４から出力される信号は、転送されるデータの周波数以外は外部に出さないようにバンドエリミネータ４３を通している。
【００３３】
アンテナケーブルは家屋内にくまなく敷設されており、多くの部屋にはアンテナケーブルの取り出し口であるアンテナ端子３が設けられている。アンテナケーブルを通して転送されたデータは、パソコン１を使用している個人の部屋のケーブル端子３から出力され、他方の第１のモデム４へ入力される。データは他方の第１のモデム４内部で復調されＲＳ−２３２Ｃインタフェースを通してパソコン１に取り込まれる。このようにしてパソコン１による外部のネットワークからのデータ受信を可能にする。
【００３４】
一方、反対にパソコン１から出力されたデータは、前述した手順とは逆にＲＳ−２３２Ｃインタフェースを通して第１のモデム４に入力される。この第１のモデム４内で変調されたデータは、アンテナ端子３を通してアンテナケーブルに出力される。アンテナケーブルを通して転送されたデータはモジュラコネクタ８のある場所のアンテナ端子３から取り出され、他方の第１のモデム４へ入力される。この他方の第１のモデム４内で復調されたデータはＲＳ−２３２Ｃインタフェースを通してターミナルアダプタ１２へ入力され、ＤＳＵ１１を通してモジュラコネクタ８から外部へ出力される。
【００３５】
このようにして、パソコンによるパソコン通信やインターネットアクセスが可能になる。
【００３６】
【発明の効果】
以上説明したように本発明によれば、第１の効果は、家屋の中に新たに配線を引き回す工事を行うことなく、パソコン通信やインターネットアクセスなど家庭内データ通信を実現できることである。その理由は、ネットワーク媒体として家屋内にすでに敷設されているテレビのアンテナケーブルを用いたことである。また、アンテナケーブルを用いたネットワーク実現のためにデータ変換用のモデム（第１のモデム）を用いたからである。
【００３７】
第２の効果は、家屋の中に余分な配線がされたまま生活する精神的不快感をなくすことができることである。その理由は第１の効果の理由と同様である。
【００３８】
第３の効果は、家庭内のネットワークを用いてデータ通信を行う機器を移動できることである。その理由は、ネットワーク媒体として家屋内にすでに敷設されているアンテナケーブルを用いたことである。そのためアンテナケーブルの取り出し口がある場所ならどこでもデータ通信端末などの機器を移動できる。
【００３９】
第４の効果は、電源線を用いたデータ転送より高速なデータ転送が行えることである。その理由はテレビの未使用周波数を用いた転送を行うため、使用可能な周波数領域が広いためである。
【００４０】
第５の効果は、データ通信端末としてパソコン以外のデータ通信端末を用いても、データ通信が行えるということである。その理由は、データ変換用のモデムにデータ通信端末に使用する共通インタフェース，たとえばＲＳ−２３２Ｃを有しているからである。
【図面の簡単な説明】
【図１】本発明の家庭内データ通信システムの第１の実施の形態を示す図である。
【図２】図１における第１のモデムのブロック図である。
【図３】図１における第１のモデムの接続形態を示す図である。
【図４】本発明の家庭内データ通信方法の動作を示すフロ−チャートである。
【図５】本発明の家庭内データ通信方法の動作を示すフロ−チャートである。
【図６】本発明の家庭内データ通信システムの第２の実施の形態を示す図である。
【図７】本発明の家庭内データ通信システムの第３の実施の形態を示す図である。
【図８】従来の家庭内データ通信システムの一例を示す図である。
【図９】従来の家庭内データ通信システムの他の例を示す図である。
【符号の説明】
１    パソコン
２    データ通信端末
３    アンテナ端子
４    第１のモデム
５    テレビ
６    ＲＳ−２３２Ｃインタフェースコネクタ
７    アンテナケーブルコネクタ
８    モジュラコネクタ
９    第２のモデム
１０    電話機
１１    ＤＳＵ
１２    ターミナルアダプタ
１３    配線
【図１】
0003655739.tif 000002
【図２】
0003655739.tif 000003
【図３】
0003655739.tif 000004
【図４】
0003655739.tif 000005
【図５】
0003655739.tif 000006
【図６】
0003655739.tif 000007
【図７】
0003655739.tif 000008
【図８】
0003655739.tif 000009
【図９】
0003655739.tif 000010